(57)【特許請求の範囲】
【請求項１】
ロールベーラ本体の進行方向の前部にロールベールの外周を巻回すべくネット、シート、トワイン等の巻回材を繰り出す巻回装置を設け、ロールベーラ本体の両側壁間に複数のローラを回転自在に掛け渡し、これらローラに無端ベルトを、その外周面で前方に開口するベール成形室を区画すると共に、該ベール成形室を区画する経路から上方に延びる戻し側経路に外周側に膨らむ第１突出部を形成するように掛け回す一方、上記ローラに他の無端ベルトを、その外周面で上記ベール成形室を区画すると共に、該ベール成形室を区画する経路から後方に延びる戻し側経路に外周側に膨らむ第２突出部を形成するように掛け回し、上記第１突出部と第２突出部の位置で無端ベルト間に草を排出するための段差を形成することを特徴とするロールベーラ。
【請求項２】
上記第１突出部の位置に、無端ベルトを案内するための第１案内ローラを設け、該第１案内ローラに隣接する位置に、第１案内ローラに巻き付いた草を上記無端ベルト間の段差に向けて送るスパイラルローラを設けた請求項１記載のロールベーラ。
【請求項３】
上記第２突出部の位置に、無端ベルトを案内するための第２案内ローラを設け、該第２案内ローラに隣接する位置に、第２案内ローラに巻き付いた草を上記無端ベルト間の段差に向けて送るスパイラルローラを設けた請求項１又は２記載のロールベーラ。
【発明の詳細な説明】
【技術分野】
【０００１】
本発明は、牧草等の農業収穫物を、無端ベルトで区画されたベール成形室内にて円柱状のロールベールに成形するロールベーラに関する。
【背景技術】
【０００２】
無端ベルトでベール成形室を区画するロールベーラとしては、特許文献１記載のものが知られている。このロールベーラは、圃場に刈り倒された牧草、麦藁、稲藁等の農業収穫物を拾い上げ、これを材料としてベール成形室内で円柱状のロールベールを成形するものであり、無端ベルトでベール成形室を区画することでロールベールの最終的な直径を変更できるようになっている。また、このロールベーラは、ベール成形室の前方に一部の無端ベルトのみを掛け回すローラを配置することで、このローラに掛け回す無端ベルトと掛け回さずに通過させる他の無端ベルトとの間に段差を形成し、無端ベルトの内側に進入した牧草や藁などの塵を上記段差から排出するようになっている。ローラの外周面には螺旋状の突起が設けられており、塵の排出を促進するようになっている。
【０００３】
【特許文献１】特開昭６０−１８８０１３号公報
【特許文献２】特開昭６２−２５９５１２号公報
【特許文献３】特開昭６３−１１９６２２号公報
【発明の開示】
【発明が解決しようとする課題】
【０００４】
ところで、無端ベルトでベール成形室を区画するロールベーラは、ベール成形室の後方位置にも塵が溜まり易く、この位置で塵がローラに巻き付くと、無端ベルトがスリップし、形状が不均一な変形ベールの原因となり、塵の巻き付きが太く成長すると、無端ベルトが蛇行したり裏返ったりする虞があり、最悪の場合、無端ベルトの切断の原因になるという課題があった。
【０００５】
また、ベール成形室の前方にのみ無端ベルト間の段差を形成する構造では、無端ベルトの周長が機幅方向の取付位置によって違うものとなり、コストアップを招くと共に、取付位置を間違う可能性があるという課題があった。
【０００６】
そして、特許文献２、３のように、ロールベーラ本体の後部にネット、シート、トワイン等の巻回材を繰り出す巻回装置を設けるロールベーラにあっては、巻回材を均等に送る必要からベール成形室の後方で無端ベルト間に段差を形成することはできなかった。
【０００７】
他方、ローラの外周面に螺旋状の突起を設け、塵を排出する構造では、張力が付加された無端ベルトに対して常時突起が擦りつけられることとなるため、無端ベルトの損耗が激しく切断の虞が増大するという課題があった。
【０００８】
そこで、本発明の目的は、上記課題を解決し、ベール成形室の前方位置のみならず後方位置からも塵を排出することができる安価なロールベーラを提供することにある。
【課題を解決するための手段】
【０００９】
上記課題を解決するために本発明は、ロールベーラ本体の進行方向の前部にロールベールの外周を巻回すべくネット、シート、トワイン等の巻回材を繰り出す巻回装置を設け、ロールベーラ本体の両側壁間に複数のローラを回転自在に掛け渡し、これらローラに無端ベルトを、その外周面で前方に開口するベール成形室を区画すると共に、該ベール成形室を区画する経路から上方に延びる戻し側経路に外周側に膨らむ第１突出部を形成するように掛け回す一方、上記ローラに他の無端ベルトを、その外周面で上記ベール成形室を区画すると共に、該ベール成形室を区画する経路から後方に延びる戻し側経路に外周側に膨らむ第２突出部を形成するように掛け回し、上記第１突出部と第２突出部の位置で無端ベルト間に草を排出するための段差を形成したものである。
【００１０】
上記第１突出部の位置に、無端ベルトを案内するための第１案内ローラを設け、該第１案内ローラに隣接する位置に、第１案内ローラに巻き付いた草を上記無端ベルト間の段差に向けて送るスパイラルローラを設けるとよい。
【００１１】
また、上記第２突出部の位置に、無端ベルトを案内するための第２案内ローラを設け、該第２案内ローラに隣接する位置に、第２案内ローラに巻き付いた草を上記無端ベルト間の段差に向けて送るスパイラルローラを設けるとよい。
【発明の効果】
【００１２】
本発明によれば、ベール成形室の前方位置のみならず後方位置からも塵を排出することができ、ロールベーラを安価なものにできる。
【発明を実施するための最良の形態】
【００１３】
本発明の好適実施の形態を添付図面を用いて説明する。
【００１４】
図１及び図２に示すように、ロールベーラ１は、圃場を走行するための車輪２が備えられたロールベーラ本体３に、トラクタ等の牽引車（図示せず）に接続されるドローバー４を設けて構成されている。但し自走式のものであってもよい。
【００１５】
ロールベーラ本体３は、走行方向前半部に位置される固定フレーム５と、固定フレーム５の後端上部に水平軸回り回動自在に設けられる開閉フレーム６とで構成されている。ロールベーラ本体３の固定フレーム５には、圃場に刈り倒された牧草等の収穫物を拾い上げるためのピックアップ装置７と、ピックアップ装置７の後側に接続されピックアップ装置７で拾い上げた収穫物を後述するベール成形室８へ送るための搬送装置９と、ロールベール１０の外周を巻回すべくネット、シート、トワイン等の巻回材（図示せず）を繰り出す巻回装置１１とが設けられている。ピックアップ装置７は、圃場の牧草等を掻き上げるべく軸廻りに回転するピックアップタイン１２を有し、ロールベーラ本体３の前進に伴ってその前部に堰き止められる牧草等を掻き上げて搬送装置９に送るようになっている。搬送装置９は、牧草等を後方へ案内するための底板１３と、底板１３に沿って牧草等をベール成形室８に押し込むためのロータ１４とを有する。巻回装置１１は、ロールベーラ本体３の進行方向の前部に設けられており、ベール成形室８内のロールベール１０が所定の径に達したとき、ベール成形室８内に巻回材を左右方向に均等に供給するようになっている。
【００１６】
また、ロールベーラ本体３の左右両側の側壁３ａ間には、複数のローラ１５、１６、１７、１８、１９、２３、２４が回転自在に掛け渡されており、ベール成形室８を区画するための無端ベルト２５がそれぞれのローラ１５、１６、１７、１８、１９、２３、２４に軸方向に複数並べて掛け回されるようになっている。
【００１７】
図４及び図５（ａ）、（ｂ）に示すように、無端ベルト２５がローラに掛け回される経路は２種類ある。第１経路２６は、それぞれのローラ１５、１６、１７、１８、１９、２１、２２、２３の両端部に掛け回される経路であり、これら複数のローラに無端ベルト２５を、その外周面で前方に開口するベール成形室８を区画すると共に、ベール成形室８を区画する経路２７から上方に延びる戻し側経路２８に外周側に膨らむ第１突出部２９を形成するように掛け回すものである。第２経路３０は、それぞれのローラ１５、１６、１７、１８、１９、２１、２２、２４の中央部に掛け回される経路であり、これら複数のローラに無端ベルト２５を、その外周面でベール成形室８を区画すると共に、ベール成形室８を区画する経路２７から後方に延びる戻し側経路３１に外周側に膨らむ第２突出部３２を形成するように掛け回すものである。そして、これら２種類の経路２６、３０に沿って無端ベルト２５を掛け回すことで、第１突出部２９と第２突出部３２の位置で無端ベルト２５間に草を排出するための段差３３、３４を形成するようになっている。また特に、第１経路２６と第２経路３０はそれぞれ同じ長さに設定されており、共通の無端ベルト２５を掛け回せるようになっている。
【００１８】
無端ベルト２５を支持するローラ１５、１６、１７、１８、１９、２１、２２、２３、２４には、ベール成形室８の開口３５を区画すべく搬送装置９に臨んで配置される一対の開口部ローラ１５、１６と、開口部ローラ１５、１６の上方に配置され開口部ローラ１５、１６間の無端ベルト２５を上方（ベール成形室８の奥部）に案内する奥部ローラ１７と、側壁３ａの外周に沿って配置され戻し側の無端ベルト２５を案内する複数の戻し側ローラ１８、１９と、それぞれの開口部ローラ１５、１６と奥部ローラ１７との間に回動可能なテンションアーム２０を介して移動可能に配置されベール成形室８を圧縮するように無端ベルト２５にテンションをかける一対のテンションローラ２１と、テンションアーム２０に設けられ戻し側の無端ベルト２５の余長を引き回す引回ローラ２２と、第１突出部２９の位置に配置される第１案内ローラ２３と、第２突出部３２の位置に配置される第２案内ローラ２４とがある。開口部ローラ１５、１６は、ロールベーラ本体３の固定フレーム５と開閉フレーム６とに１つずつ設けられており、開閉フレーム６が開くことで互いに離間されてベール成形室８の開口３５を広げるように構成されている。また、複数の戻し側ローラ１８、１９のうち、無端ベルト２５の流れ方向最上流に配置される戻し側ローラ１９は、後述する動力伝達機構３６に接続されて駆動ローラとなっており、無端ベルト２５を第１経路２６又は第２経路３０に沿って循環駆動するようになっている。
【００１９】
図１に示すように、第１案内ローラ２３に隣接する位置には、第１案内ローラ２３に巻き付いた収穫物を無端ベルト２５間の段差３３に向けて送るための第１スパイラルローラ３７が設けられている。具体的には、第１スパイラルローラ３７は、無端ベルト２５から離間されると共に、第１案内ローラ２３に収穫物が巻き付いたときその収穫物に当たる程度に第１案内ローラ２３から離間されるフリーローラとなっている。第１スパイラルローラ３７の外周面には、第１案内ローラ２３に巻き付いた収穫物から力を受けて回転したときその収穫物を機幅方向中央に送るように作用する左右対称の螺旋状の突起３８が形成されている。また、第１案内ローラ２３近傍の開口部ローラ１５に隣接する位置にも、開口部ローラ１５に巻き付いた収穫物を機幅方向外側に送るための第２スパイラルローラ３９が設けられている。第２スパイラルローラ３９は、第１スパイラルローラ３７と同様に無端ベルト２５から離間されると共に、開口部ローラ１５に収穫物が巻き付いたときその収穫物に当たる程度に開口部ローラ１５から離間されるフリーローラとなっている。第２スパイラルローラ３９の外周面には、第１スパイラルローラ３７とは逆向きの螺旋状の突起４０が左右対称に形成されており、開口部ローラ１５に巻き付いた収穫物から力を受けて回転したときその収穫物を機幅方向外側に送るようになっている。なお、第１スパイラルローラ３７及び第２スパイラルローラ３９は無端ベルト２５から離間されるものとしたが、無端ベルト２５に常に接触して回転するものとしてもよい。この場合、第１スパイラルローラ３７及び第２スパイラルローラ３９の回転方向は無端ベルト２５に接触しない場合とは逆になるため、螺旋状の突起３８、４０をそれぞれ逆向き（第１スパイラルローラ３７と第２スパイラルローラ３９の配置を入れ換えた状態）にするとよい。また、第１案内ローラ２３又は開口部ローラ１５から離間させる間隔は上述と同様にするとよい。ただし、第１案内ローラ２３や開口部ローラ１５のように無端ベルト２５の張力を完全に受けるように配置すると無端ベルト２５が摩耗する虞があるため、無端ベルト２５の張力をあまり受けないように取付位置を調整するとよい。
【００２０】
また、ロールベーラ本体３には、ベール成形室８内のロールベール１０を載置して直接回転動力を伝える補助駆動ローラ４１が搬送装置９と開口部ローラ１６との間に位置して設けられると共に、巻回装置１１から繰り出される巻回材をベール成形室８に送るためのベルトコンベヤ４２がベール成形室８の開口３５に臨んで設けられている。ベルトコンベヤ４２は、特に第１突出部２９の直下で後方に延びるように配置されると共に常時駆動されるようになっており、第１突出部２９の位置に形成される無端ベルト２５間の段差３３から落下する塵等をベール成形室８内に戻すように構成されている。また、補助駆動ローラ４１とベルトコンベヤ４２のコンベヤローラ４３は、トラクタ等の牽引車のＰＴＯ軸に連結される動力伝達機構３６から動力を受けて回転駆動されるようになっている。
【００２１】
図６に示すように動力伝達機構３６は、ＰＴＯ軸に図示しないユニバーサルジョイントを介して連結されるギヤボックス４４と、ギヤボックス４４の駆動スプロケット４５に第１チェーン４６を介して接続されコンベヤローラ４３に設けられる第１スプロケット４７と、第１スプロケット４７に一体に設けられる第２スプロケット４８に第２チェーン４９を介して接続され戻し側ローラ１９に設けられる第３スプロケット５０と、第２チェーン４９に噛合されると共に補助駆動ローラ４１に設けられる第４スプロケット５１と、第４スプロケット５１に一体に設けられピックアップ装置７及び搬送装置９に動力を伝達するための第５スプロケット５２とからなる。
【００２２】
また、ロールベーラ本体３には、テンションアーム２０が所定の位置に移動されたときにこれを検出して巻回装置１１を起動するためのセンサ（図示せず）が設けられており、ロールベール１０が所定の径に成形されたときに巻回装置１１を自動的に起動するようになっている。
【００２３】
次に本実施の形態の作用を述べる。
【００２４】
図１に示すロールベーラ１を牽引車で牽引しながら駆動させると、ピックアップ装置７が圃場上に刈り倒された牧草等の収穫物を拾い上げ、搬送装置９に送る。搬送装置９に送られた収穫物は、回転駆動されるロータ１４によって後方へ押され、底板１３に沿ってベール成形室８内に送られる。
【００２５】
ベール成形室８内に送られた収穫物は、補助駆動ローラ４１で後方に送られた後、奥部ローラ１７より後側の無端ベルト２５で上昇されながら前方に戻され、奥部ローラ１７より前方の無端ベルト２５及びベルトコンベヤ４２で補助駆動ローラ４１近傍に降下され、以降、これを繰り返すようにしてベール成形室８で一方方向に回転される。図２に示すように、ベール成形室８内に収穫物が一定量以上溜まると円柱状のロールベール１０が形成される。そして、収穫物が更に供給されることで、図３に示すようにロールベール１０がテンションローラ２１を徐々に上方に押し退けながら大径に成長される。
【００２６】
ロールベール１０を成形する過程でベール成形室８から収穫物（塵）がはみ出ることもあるが、奥部ローラ１７の後側に延びる無端ベルト２５からはみ出た収穫物は無端ベルト２５の傾斜に沿ってベール成形室８下方の第２突出部３２近傍に落下され、無端ベルト２５間の段差３４から圃場に落下されるため、ローラ等に巻き付いて成長することは殆どない。また、奥部ローラ１７の前側に延びる無端ベルト２５からはみ出た収穫物は、同様に無端ベルト２５の傾斜に沿って第１突出部２９近傍に落下され、無端ベルト２５間の段差３３からベルトコンベヤ４２上に落下され、ベルトコンベヤ４２によってベール成形室８内に戻されるため、ローラ等に巻き付いて成長することは殆どない。具体的には、収穫物の排出経路上にある開口部ローラ１５、１６、第１案内ローラ２３及び第２案内ローラ２４には、少量の収穫物が巻き付く可能性はあるが、第２案内ローラ２４と第２案内ローラ２４近傍の開口部ローラ１６は開閉フレーム６の回動先端に配置されているため、開閉フレーム６を開閉するたびに収穫物が圃場に落下して溜まり難く、収穫物が乾燥した牧草等、一般的なものである場合、塊に成長することはない。第２案内ローラ２４と第２案内ローラ２４近傍の開口部ローラ１６に巻き付いた収穫物は、手作業でも容易に取り除くことができる。図１に示すように、第１案内ローラ２３と第１案内ローラ２３近傍の開口部ローラ１５には、第１スパイラルローラ３７及び第２スパイラルローラ３９が近接されているため、第１案内ローラ２３又は第１案内ローラ２３近傍の開口部ローラ１５に収穫物が巻き付くと、収穫物が第１スパイラルローラ３７又は第２スパイラルローラ３９に当たってスパイラルローラ３７、３９を回転させ、スパイラルローラ３７、３９の螺旋状の突起３８、４０が第１案内ローラ２３又は開口部ローラ１５に巻き付いた収穫物を軸方向に送って無端ベルト２５間の段差３３から落下させるため、溜まることはない。このときの作用を更に詳細に説明すると、第１案内ローラ２３近傍の開口部ローラ１５に収穫物が巻き付いた場合、第２スパイラルローラ３９が収穫物から力を受けて回転され、その螺旋状の突起４０で収穫物を機幅方向外側に送る。このとき、螺旋状の突起４０は機幅方向の中央を境に左右対称に巻かれているため、機幅方向右側に巻き付いた収穫物は右方向に送られ、機幅方向左側に巻き付いた収穫物は左方向に送られることとなる。また、機幅方向外側に送られる過程で収穫物は、互いに逆回転する２本のローラ１５、３９から干渉されることとなるため、開口部ローラ１５から浮き上がり、循環する無端ベルト２５に接触することで容易に開口部ローラ１５から外れ、無端ベルト２５の流れ方向下流側の第１突出部２９に向けて送られることとなる。第１案内ローラ２３に収穫物が巻き付いた場合、第１スパイラルローラ３７が収穫物から力を受けて回転され、その螺旋状の突起３８で収穫物を機幅方向内側に送る。これにより、収穫物は無端ベルト２５間の段差３３から無端ベルト２５の外周側に出されることとなり、第１案内ローラ２３から浮き上がることで第１案内ローラ２３から外れ、ベルトコンベヤ４２上に落下されることとなる。
【００２７】
このようにしてロールベール１０が所望のサイズに成形されたら、巻回装置１１が起動され、巻回装置１１から巻回材が繰り出される。巻回装置１１から繰り出された巻回材は、ベルトコンベヤ４２によってベール成形室８内に送られ、ロールベール１０の外周に巻回されることとなる。このとき、巻回装置１１はロールベーラ本体３の前部に設けられているため、牽引車側から動作を目視することができる。
【００２８】
このように、ロールベーラ本体３の進行方向の前部に巻回装置１１を設け、ロールベーラ本体３の両側壁３ａ間に複数のローラ１５、１６、１７、１８、１９、２３、２４を回転自在に掛け渡し、これらローラに無端ベルト２５を、その外周面で前方に開口するベール成形室８を区画すると共に、ベール成形室８を区画する経路２７から上方に延びる戻し側経路２８に外周側に膨らむ第１突出部２９を形成するように掛け回す一方、上記ローラに他の無端ベルト２５を、その外周面でベール成形室８を区画すると共に、ベール成形室８を区画する経路２７から後方に延びる戻し側経路３１に外周側に膨らむ第２突出部３２を形成するように掛け回し、第１突出部２９と第２突出部３２の位置で無端ベルト２５間に草を排出するための段差３３、３４を形成するため、ベール成形室８の開口３５前方の第１突出部２９のみならず後方の第２突出部３２からも収穫物を排出することができ、ベール成形室８の開口３５後方のローラ１６、２４に収穫物が巻き付くのを防ぐことができる。そして、第１突出部２９を形成する無端ベルト２５と、第２突出部３２を形成する無端ベルト２５とを共通の無端ベルト２５にでき、製造コストを下げることができると共に、組立時に取付位置を間違える虞を解消できる。
【００２９】
また、第１突出部２９の位置に、無端ベルト２５を案内するための第１案内ローラ２３を設け、第１案内ローラ２３に隣接する位置に、第１案内ローラ２３に巻き付いた収穫物を無端ベルト２５間の段差３３に向けて送る第１スパイラルローラ３７を無端ベルト２５から離間して設けたため、第１突出部２９からの収穫物の排出を効果的に促進できると共に、無端ベルト２５の損耗を防ぐことができる。
【００３０】
他の実施の形態について述べる。
【００３１】
図７、図８及び図９に示すロールベーラ６０は、上述のロールベーラ１の第２突出部３２近傍に収穫物排出促進手段たるスパイラルローラ６１、６３を設けたものである。上述と同様の構成については説明を省き同符号を付す。
【００３２】
図７及び図８に示すように、第２案内ローラ２４に隣接する位置には、第２案内ローラ２４に巻き付いた収穫物を無端ベルト２５間の段差３４に向けて送るための第３スパイラルローラ６１が設けられている。具体的には、第３スパイラルローラ６１は、無端ベルト２５から離間されると共に、第２案内ローラ２４に収穫物が巻き付いたときその収穫物に当たる程度に第２案内ローラ２４から離間されるフリーローラとなっている。図９に示すように、第３スパイラルローラ６１の外周面には、第２案内ローラ２４に巻き付いた収穫物から力を受けて回転したときその収穫物を機幅方向外側に送るように作用する左右対称の螺旋状の突起６２が形成されている。図７及び図８に示すように、第２案内ローラ２４近傍の開口部ローラ１６に隣接する位置にも、開口部ローラ１６に巻き付いた収穫物を機幅方向内側に送るための第４スパイラルローラ６３が設けられている。第４スパイラルローラ６３は、第３スパイラルローラ６１と同様に無端ベルト２５から離間されると共に、開口部ローラ１６に収穫物が巻き付いたときその収穫物に当たる程度に開口部ローラ１６から離間されるフリーローラとなっている。図９に示すように、第４スパイラルローラ６３の外周面には、第３スパイラルローラ６１とは逆向きの螺旋状の突起６４が形成されており、開口部ローラ１６に巻き付いた収穫物から力を受けて回転したとき、その収穫物を機幅方向内側に送るように構成されている。
【００３３】
本実施の形態の作用を述べる。
【００３４】
図８及び図９に示すように、ロールベールを成形する過程で第２案内ローラ２４近傍の開口部ローラ１６に収穫物が巻き付いた場合、第４スパイラルローラ６３が収穫物から力を受けて回転され、その螺旋状の突起６４で収穫物を機幅方向内側に送る。また、機幅方向外側に送られる過程で収穫物は、互いに逆回転する２本のローラ１６、６３から干渉されることとなるため、開口部ローラ１６から浮き上がり、循環する無端ベルト２５に接触することで容易に開口部ローラ１６から外れる。開口部ローラ１６から外れた収穫物は、第２突出部３２に落下し、排出される。第２案内ローラ２４に収穫物が巻き付いた場合、第３スパイラルローラ６１が収穫物から力を受けて回転され、その螺旋状の突起６２で収穫物を機幅方向外側に送る。これにより、収穫物は無端ベルト２５間の段差３４から無端ベルト２５の外周側に送られ、第２案内ローラ２４から浮き上がることで第２案内ローラ２４から外れ、圃場に落下される。
【００３５】
このように、第２突出部３２の位置に、無端ベルト２５を案内するための第２案内ローラ２４を設け、第２案内ローラ２４に隣接する位置に、第２案内ローラ２４に巻き付いた草を無端ベルト２５間の段差３４に向けて送る第３スパイラルローラ６１を無端ベルト２５から離間して設けたため、無端ベルト２５を損耗させることなく第２突出部３２からの収穫物の排出を効果的に促進できる。
【００３６】
なお、スパイラルローラ３７、３９、６１、６３は、フリーローラとしたが、回転駆動させるものとしてもよい。例えば図１０及び図１１に示すように、案内ローラ２４及び開口部ローラ１６に隣接するスパイラルローラ７５、７６の場合、案内ローラ２４又は開口部ローラ１６とこれに隣接するスパイラルローラ７５、７６とを、スプロケット７１、７２とチェーン７３からなる動力伝達機構７４を介して接続し、案内ローラ２４又は開口部ローラ１６に連動するものにするとよい。簡単な機構で安価にスパイラルローラ７５、７６を回転駆動することができる。第１突出部２９近傍のスパイラルローラ３７、３９も同様の構成で回転駆動させることができる。ただし、スプロケット７１、７２及びチェーン７３を介して動力を伝達する場合、上述のフリーローラであるスパイラルローラ３７、３９、６１、６３とは回転方向が逆になるので、螺旋状の突起７７、７８も逆向きにするとよい。また、動力伝達機構７４はスプロケット７１、７２とチェーン７３に限るものではない。これらの換わりに案内ローラ２３、２４又は開口部ローラ１５、１６と、これに隣接するスパイラルローラ３７、３９、６１、６３とに互いに噛合する歯車（図示せず）を設け、スパイラルローラ３７、３９、６１、６３を駆動するようにしてもよい。
【００３７】
第２突出部３２近傍に収穫物排出促進手段として第３スパイラルローラ６１及び第４スパイラルローラ６３を設けるものとしたが、図１２に示すように、ロールベーラ本体３に、それぞれの経路の無端ベルト２５の内周面に微少距離を隔てて近接されるスクレーパ８１、８２を設けてもよい。収穫物排出促進手段をスクレーパ８１、８２とした他の実施の形態について述べる。上述と同様の構成については説明を省き、同符号を付す。
【００３８】
図１３及び図１４に示すように、第１経路２６の無端ベルト２５に近接される第１スクレーパ８１は、ロールベーラ本体３のそれぞれの側壁に片持ち支持される掻き板からなり、第２突出部３２上方の無端ベルト２５上で無端ベルト２５の流れ方向下流側に傾斜して延びるように形成されている。第２経路３０の無端ベルト２５に近接される第２スクレーパ８２は、平面視Ｖ字状に屈曲された掻き板からなり、ロールベーラ本体３の両側壁に両端を、Ｖ字の屈曲端を無端ベルト２５の流れ方向上流側に向けるようにして支持されている。また特に、第２スクレーパ８２は、第２突出部３２の無端ベルト２５上に近接されると共に、左右両側の位置を第１スクレーパ８１よりも下流側に位置されており、第１スクレーパ８１に沿って落下する収穫物を第２突出部３２を形成する無端ベルト２５上で受けるように構成されている。
【００３９】
本実施の形態の作用を述べる。
【００４０】
図１２に示すように、ロールベールを成形する過程で収穫物（塵）が奥部ローラ１７の後側に延びる無端ベルト２５の内周側（裏側）にはみ出た場合、収穫物は第２突出部３２周辺の無端ベルト２５上に落下する。図１３及び図１４に示すように、ロールベーラ本体３の両側に配置される第１経路２６の無端ベルト２５上に落下した収穫物のうち、第１スクレーパ８１よりも上流側に落下した収穫物は、第１スクレーパ８１に沿って機幅方向中央側に案内され、第２経路３０の無端ベルト２５上に落下する。また、第２突出部３２の無端ベルト２５上に落下した収穫物のうち、第２スクレーパ８２よりも上流側に落下した収穫物は、第１経路２６上の無端ベルト２５から落下される収穫物と併せて第２スクレーパ８２に沿って機幅方向外側に案内され、無端ベルト２５間の段差３４から圃場に排出することができる。
【００４１】
このように、第２突出部３２の上段に位置される無端ベルト２５上に、そのベルト２５上の収穫物を第２突出部３２へ向けて案内する第１スクレーパ８１を離間して設け、第２突出部３２を形成する無端ベルト２５上に、そのベルト２５上の収穫物を上記上段の無端ベルト２５との間に形成される段差３４へ向けて案内する第２スクレーパ８２を離間して設けて収穫物排出促進手段を構成すると、さらに簡単な構造にでき、第２案内ローラ２４及び第２案内ローラ２４近傍の開口部ローラ１６に到達する収穫物の量を減らすことができ、これらローラ１６、２４に収穫物を巻き付き難くすることができる。
【図面の簡単な説明】
【００４２】
【図１】本発明の好適実施の形態を示すロールベーラの側断面図である。
【図２】ロールベールを成形中のロールベーラの側断面図である。
【図３】ロールベールを所定のサイズに成形したロールベーラの側断面図である。
【図４】複数のローラに掛け回す無端ベルトの経路を説明する説明図である。
【図５】（ａ）は第１突出部を形成する無端ベルトの経路の側面説明図であり、（ｂ）は第２突出部を形成する無端ベルトの経路の側面説明図である。
【図６】無端ベルトを駆動させる動力伝達機構を示すロールベーラの側断面図である。
【図７】他の実施の形態を示すロールベーラの側断面図である。
【図８】図７の要部拡大図である。
【図９】図８の平面図である。
【図１０】他の実施の形態を示すロールベーラの要部側断面図である。
【図１１】図１０の平面説明図である。
【図１２】他の実施の形態を示すロールベーラの側断面図である。
【図１３】図１２の要部拡大図である。
【図１４】図１３の平面図である。
【符号の説明】
【００４３】
１  ロールベーラ
３  ロールベーラ本体
３ａ  両側壁
８  ベール成形室
１０  ロールベール
１１  巻回装置
１５  開口部ローラ（ローラ）
１６  開口部ローラ（ローラ）
１７  奥部ローラ（ローラ）
１８  戻し側ローラ（ローラ）
１９  戻し側ローラ（ローラ）
２３  第１案内ローラ（ローラ）
２４  第２案内ローラ（ローラ）
２５  無端ベルト
２８  戻し側経路
２９  第１突出部
３１  戻し側経路
３２  第２突出部
３３  段差
３４  段差
３７  第１スパイラルローラ
６１  第３スパイラルローラ
【図１】
0004648864.tif 000002
【図２】
0004648864.tif 000003
【図３】
0004648864.tif 000004
【図４】
0004648864.tif 000005
【図５】
0004648864.tif 000006
【図６】
0004648864.tif 000007
【図７】
0004648864.tif 000008
【図８】
0004648864.tif 000009
【図９】
0004648864.tif 000010
【図１０】
0004648864.tif 000011
【図１１】
0004648864.tif 000012
【図１２】
0004648864.tif 000013
【図１３】
0004648864.tif 000014
【図１４】
0004648864.tif 000015